(57)【要約】【課題】待機電力の状態が確認でき、待機電力の状態から蛍光灯や電化製品等の電源のオン・オフを確認して消し忘れを防止することができる過電流警報装置を提供する。【解決手段】過電流警報装置の本体装置２によって分電盤１の二次側に接続した電力線３に流れる電流を変流器７で検出し、通信線３を介して過電流モニター４にデータを送信する。データを受けた過電流モニター４は、メインインジケータ４ａによって通電電流を表示し、過電流時はメインインジケータ４ａを点滅させたり、スピーカ４ｂから警報を出力する。また、使用電力が０Ｗ〜２００Ｗの時に点灯するサブインジケータ４ｃを備え、電気機器の待機電力を表示できるようにする。また、５０Ｗ〜５００Ｗまで可変できるボリューム４ｄを備え、待機電力の最低使用電力を設定できるようにする。【選択図】図１
2005077334.tif 000002
【特許請求の範囲】
【請求項１】
電力線に流れる電流を電流検出手段で検出し、表示手段によって通電状態を表示するとともに、過電流検出時に警報を発する過電流警報装置において、電気機器の待機電力を表示するための待機電力表示手段を設けたことを特徴とする過電流警報装置。
【請求項２】
待機電力の最低使用電力を設定するための設定手段を設け、前記待機電力が前記最低使用電力を越えた場合に前記待機電力表示手段によって表示を行うようにしたことを特徴とする過電流警報装置。
【発明の詳細な説明】
【技術分野】
【０００１】
本発明は、本体装置によって電力線に流れる電流を検出し、過電流モニターによって表示するとともに、過電流検出時に警報を発する過電流警報装置に関する。
【背景技術】
【０００２】
図３及び図４に示すように過電流警報装置は分電盤２１の内部に配設された本体装置２２と、この本体装置２２と通信線２３を介して接続され、分電盤２１から離れた位置に配設された過電流モニター２４とで構成し、分電盤２１の主幹ブレーカ２５の二次側に接続された電力線２６に流れる電流を本体装置２２に接続された変流器２７によって検出し、通信線２３を通して過電流モニター２４にデータを送信している。また、過電流モニター２４はリビング等の人がよく使用する部屋に設置され、本体装置２２からデータを受信してケース前面のインジケータ２４ａによって通電状態を表示し、使用電流が設定電流値を超えた場合は、スピーカ２４ｂからブザーや音声メッセージを出力したり、インジケータ２４ａを点滅させて警報を発し、住人に電気の使い過ぎを知らせるようになっていた。尚、設定電流値は主幹ブレーカの定格電流に合わせて本体装置２２のツマミ２２ａを調節して設定するようになっている（例えば、非特許文献１参照。）。
【非特許文献１】“２００３  カワムラカタログ  電設資材偏  Ｎｏ．３４”、河村電器産業株式会社、２００３年５月１日、ｐ．４７８
【発明の開示】
【発明が解決しようとする課題】
【０００３】
過電流モニターのインジケータは５つのＬＥＤによって形成され、使用電流が設定電流値の０〜２０％の場合は１つのＬＥＤが点灯し、２０〜４０％の場合は２つのＬＥＤが点灯し、４０〜６０％は３つのＬＥＤ、６０〜８０％は４つのＬＥＤ、８０〜１００％は５つのＬＥＤが点灯するというように、２０％毎に１つのＬＥＤが点灯するようになっている。このため、電気機器の待機電力のような僅かな使用電流でも１つのＬＥＤが点灯し、更に例えば蛍光灯を点けても使用電流が少ないため、インジケータの表示は変わらず、外出時に過電流モニターを見ても蛍光灯・電化製品等の電源のオン・オフの状態を把握することができなかった。
【課題を解決するための手段】
【０００４】
本発明は、請求項１に記載の発明によれば、電力線に流れる電流を電流検出手段で検出し、表示手段によって通電状態を表示するとともに、過電流検出時に警報を発する過電流警報装置において、電気機器の待機電力を表示するための待機電力表示手段を設けたことを特徴とする。
【０００５】
また、請求項２に記載の発明によれば、請求項１に記載の過電流警報装置において、待機電力の最低使用電力を設定するための設定手段を設け、待機電力が最低使用電力を越えた場合に待機電力表示手段によって表示を行うようにしたことを特徴とする。
【発明の効果】
【０００６】
本発明の過電流警報装置は、待機電力の状態が確認でき、待機電力の状態から蛍光灯や電化製品等の電源のオン・オフを確認して消し忘れを防止することができるという効果がある。
【発明を実施するための最良の形態】
【０００７】
過電流警報装置の本体装置によって分電盤の二次側に接続した電力線に流れる電流を変流器で検出し、通信線を介して過電流モニターにデータを送信する。データを受けた過電流モニターは、メインインジケータによって通電状態を表示し、過電流時はメインインジケータを点滅させたり、スピーカから警報を出力する。また、使用電力が０Ｗ〜２００Ｗの時に点灯するサブインジケータを備え、電気機器の待機電力を表示できるようにする。また、５０Ｗ〜５００Ｗまで可変できるボリュームを備え、待機電力の最低使用電力を設定できるようにする。
【実施例１】
【０００８】
本発明に係る過電流警報装置の実施例を図１及び図２の添付図面に基づいて説明する。
【０００９】
過電流警報装置は、分電盤１の内部に配設された本体装置２と、この本体装置２と通信線３を介して接続され、分電盤１から離れた例えばリビング等の人が良く使用する場所に配設される過電流モニター４とで構成されている。
【００１０】
本体装置２は分電盤１の内部に配設された主幹ブレーカ５の二次側に接続された電力線６から電流検出手段である変流器７によって電流を検出し、通信線３を通して過電流モニター４にデータを送信している。
【００１１】
データを受信した過電流モニター４はケース前面に設けられた表示手段である５つのＬＥＤを用いたメインインジケータ４ａによって通電状態を表示するようになっている。このメインインジケータ４ａは使用電流が設定電流値の０〜２０％の場合は１つのＬＥＤが点灯し、２０〜４０％の場合は２つのＬＥＤが点灯し、４０〜６０％は３つのＬＥＤ、６０〜８０％は４つのＬＥＤ、８０〜１００％は５つのＬＥＤが点灯するというように、２０％毎に１つのＬＥＤが点灯するようになっている。また、１００％以上になると５つのＬＥＤが点滅し、スピーカ４ｂからブザーや音声メッセージ等を出力して周囲に電気の使い過ぎを知らせるようになっている。尚、設定電流値は主幹ブレーカ５の定格電流に合わせて本体装置２のツマミ２ａを調節して設定する。
【００１２】
過電流モニター４はメインインジケータ４ａの下側に５つのＬＥＤを用いた待機電力表示手段としてのサブインジケータ４ｃが設けられている。サブインジケータ４ｃは使用電流が４０Ｗ毎に１つのＬＥＤが点灯するようになっており、２００Ｗまで表示できるようになっている。
【００１３】
また、サブインジケータ４ｃの下側には待機電力の最低使用電力を設定するための設定手段であるボリューム４ｄが設けられている。ボリューム４ｄは５０〜５００Ｗの目盛りが設けられ、この数値間で待機電力の最低値を設定することができるようになっている。即ち、サブインジケータ４ｃの表示はボリューム４ｄの数値を足した値を表示するようになっている。例えば、待機電力の最低値が３００Ｗの場合、ボリューム４ｄがないとサブインジケータ４ｃはすべて点灯してしまって待機電力の状態を知ることができないが、ボリューム４ｄを２５０Ｗに設定することにより、サブインジケータ４ｃの表示は０の値が２５０Ｗとなり、２つのＬＥＤが点灯して待機電力を知ることができる。そして、外出時にサブインジケータ４ｃのＬＥＤが３つ以上点灯していると消し忘れがあることを知ることができる。
【００１４】
このようにボリュームがあると待機電力の調整幅を広くすることができるが、ボリュームは必ずしも設ける必要はなく、サブインジケータの目盛りを増やして待機電力の表示範囲を広くすることもできる。
【図面の簡単な説明】
【００１５】
【図１】本発明に係る過電流警報装置を搭載した分電盤を示す図である。
【図２】本発明に係る過電流警報装置の過電流モニターを示す正面図である。
【図３】従来の過電流警報装置を搭載した分電盤を示す図である。
【図４】従来の過電流警報装置の過電流モニターを示す正面図である。
【符号の説明】
【００１６】
１    分電盤
２    本体装置
３    通信線
４    過電流モニター
４ａ  メインインジケータ
４ｂ  スピーカ
４ｃ  サブインジケータ
４ｄ  ボリューム
５    主幹ブレーカ
６    電力線
７    変流器
【図１】
2005077334.tif 000003
【図２】
2005077334.tif 000004
【図３】
2005077334.tif 000005
【図４】
2005077334.tif 000006